(57)【要約】【課題】  視覚障害者や聴覚障害者でも、音声ガイダンス等の音の報知、報知しないを容易に指示することができ、且つ、音が報知される状態であるかどうかを容易に把握することができる電気機器を提供することを目的とする。  【課題を解決するための手段】  本発明の電気機器は、ユーザに所定の部分が触れられると突出部分が大きくなったり、小さくなったりする可動式のスピーカを備え、スピーカが突出部分の大きな位置にあるときだけ、音声ガイダンス等のキー操作に関する音をスピーカから報知する。よって、スピーカの位置を把握していれば視覚障害者でも容易にスピーカを移動させて、キー操作に関する音の報知、報知しないを指示することができる。【選択図】  図２
2005229588.tif 000002
【特許請求の範囲】
【請求項１】
第１位置と第２位置を有する可動式のスピーカと
上記スピーカの突出した位置を検出する検出手段と、
上記スピーカが第１位置にあることが検知されると、キー操作に関する音を報知する報知手段を備え、
上記第１位置は、上記第２位置よりも突出した位置であることを特徴とする電気機器。
【請求項２】
上記電気機器を操作するための操作画面を有する操作手段を備え、
上記スピーカが第1位置にあることが検知されると、上記操作手段は上記操作画面を強調表示に切り替えることを特徴とする請求項１に記載の電気機器。
【発明の詳細な説明】
【技術分野】
【０００１】
本発明は、操作のための音声ガイダンスを報知する機能を備えた電気機器に関する。
【背景技術】
【０００２】
近年の電気機器は、社会的要請などにより、健常者だけでなく身体障害者の使い易さを考慮して設計されている。例えば、視覚障害者でも簡単にキー操作ができるように、特許文献１および特許文献２に記載されているように、キー操作を補助する音声ガイダンスを報知する画像処理装置または金融機関の自動取引装置がある。
【０００３】
このような音声ガイダンスは視覚障害を持たない人にとっては煩わしく感じる場合があるために、特許文献１では、操作キーが押下されてから一定時間次の操作キーの押下が行われない場合のみ音声ガイダンスを報知する。
【０００４】
また、特許文献２では、ユーザがタッチパネル上の画面検索開始検知領域に触れると画面探索モードに切り替わり、当該モードのときだけ接触した操作ボタンの意味を音声で読み上げるようになっている。
【特許文献１】特開２００３−１２２１９９号公報
【特許文献２】特開平１１−１１０１０７号公報
【発明の開示】
【発明が解決しようとする課題】
【０００５】
ところが、特許文献１の技術では、音声ガイダンスを聞くためには、一定時間待たなければならない。そのため、視覚障害者は、画像処理装置を使用して、印刷、原稿の読み取り、ファクシミリ送信等の画像処理を素早く行うことができない。また、何れかの操作キーを押下してから一定時間経過すると、音声ガイダンスが報知されるので、ゆっくり操作していると音声ガイダンスが不必要であっても報知される。
【０００６】
音声ガイダンスは、画像処理装置の周囲にいる人に聞こえる。そのため、音声ガイダンスは画像処理装置の周囲の人の迷惑になるために、必要がなければ報知しないほうが好ましい。しかし、聴覚障害者は、音声ガイダンスが報知されているかどうかを判断することができない可能性が高く、音声ガイダンスで画像処理装置の周囲の人に迷惑を掛けてしまう。
【０００７】
また、特許文献２の技術では、音声ガイダンスを聞きながら自動取引装置を操作するためには、タッチパネルの画面、例えば左上に設けられた画面検索開始検知領域に触れなければならない。そのため、画面表示を視認することが困難な視覚障害者にとって、画面検索開始検知領域を認識して触れるまでに時間が掛かってしまう。さらに、視覚障害者ではない人が画面検索開始検知領域に誤って触れてしまうことも予測される。このような場合、不必要な音声ガイダンスが報知される点、聴覚障害者がそのことに気付かない点で、上記と同様の問題が生じる。
【０００８】
そこで、本発明は、視覚障害者でも、音声ガイダンス等の音の報知、報知しないを容易に指示することができ、且つ、聴覚障害者が音の報知される状態であるかどうかを容易に把握することができる画像処理装置を提供することを目的とする。
【課題を解決するための手段】
【０００９】
本発明の請求項１に記載の電気機器は、第１位置と第２位置を有する可動式のスピーカと、上記スピーカの突出した位置を検出する検出手段と、上記スピーカが第１位置にあることが検知されると、キー操作に関する音を報知する報知手段を備え、上記第１位置は、上記第２位置よりも突出した位置であることを特徴とする。よって、スピーカの位置を把握していれば視覚障害者でもスピーカを触ることにより、音の報知がなされる状態かどうかを知ることができ、さらに容易にスピーカを移動させて、キー操作に関する音の報知の有無を指示することができる。
【００１０】
スピーカが突出部分のより突出した第１位置にあるのかに基づいて、スピーカからキー操作に関する音が報知される状態かどうかが分かる。したがって、スピーカから報知される音を聞き取れない聴覚障害者であっても、スピーカが第１位置にあると、スピーカから報知されるキー操作に関する音で電気機器の周囲に迷惑を掛ける可能性があることが分かる。よって、聴覚障害者は、スピーカを第２位置に移動させて電気機器を使用することで、自分にとって不必要なキー操作に関する音で周囲に迷惑を掛けることを防ぐことができる。
【００１１】
本発明の請求項２に記載の電気機器は、上記電気機器を操作するための操作画面を有する操作手段を備え、上記スピーカが第1位置にあることが検知されると、上記操作手段は上記操作画面を強調表示に切り替えることを特徴とする。
【００１２】
このことにより、視覚障害者が電気機器を操作するときに、キー操作に関する音を報知し、さらに視認性の高い表示とすることで、相乗的に操作性を向上させることができる。
【発明の効果】
【００１３】
スピーカがより突出した第１位置にある時にキー操作に関する音が報知されるので、スピーカを移動させることがキー操作に関する音の報知、報知しない指示となる。よって、視覚障害者であっても、容易にキー操作に関する音の報知、報知しないを指示することができる。
【００１４】
また、スピーカが第１位置にあるかどうかは、スピーカを見れば判断できるので、聴覚障害者でもキー操作に関する音が報知される状態であるかどうかが分かる。そのため、聴覚障害者は、スピーカをより突出の小さな第２位置に移動させて画像処理装置を使用することで、自分にとって不必要なキー操作に関する音を報知させずに画像処理装置を使用することで、画像処理装置の周囲の人に迷惑を掛けることを防ぐことができる。
【発明を実施するための最良の形態】
【００１５】
本実施の形態では、本発明の電気機器が画像処理装置としての複写機に適用された場合について説明する。図１は、複写機１００の外観図である。複写機１００は、画像を読み取るスキャナや、読み取られた画像を印刷用紙に転写する転写部や、給紙カセット等が備えられた本体１１０と、この本体１１０の上面に備えられた操作パネル３００、自動原稿搬送装置１０３、スピーカ１０４等で構成されている。
【００１６】
スピーカ１０４は、可倒可能となっている。スピーカ１０４は、倒れているとき（第２位置にあるとき）は、図１に示すように、全体が本体１１０に収納され、立っているとき（第１位置にあるとき）は、図２に示すように、本体１１０の表面１００から突出して、立ち上がっている。スピーカ１０４の立ち上げ、及び倒しを実現する方法は、どのような方法であっても構わない。
【００１７】
本実施の形態では、スピーカ１０４は、図１及び図２に示すように基端部１０７を中心として、回転できる構成となっている。スピーカ１０４が立ち上がっている状態から倒すには、ユーザは、スピーカ１０４の先端１０６を本体１１０側に押し付ける。一方、スピーカ１０４が倒れている状態から立ち上げるには、ユーザは、図１に示すスピーカ１０４の背面を本体１１０側（下方）に軽く押す。倒れている状態で背面１０５が押されると、押されたことが検知されてモータ等が稼働してモータ等によってスピーカ１０４が立ち上げられる。
【００１８】
スピーカ１０４が立ち上がっているか、倒れているかは、図３に示す検知手段２０１にて検知される。スピーカ１０４が立ち上がっているか倒れているかの検知方法は、例えば、スピーカ１０４が倒れているときにスピーカ１０４によって押下される本体１１０に内蔵されたスイッチを用いて行うことができる。
【００１９】
上記検知手段２０１は、スピーカ１０４が立ち上がっているか倒れているかの検知結果を報知手段２０２に通知している。
【００２０】
上記報知手段２０２は、スピーカ１０４が立ち上がっていることが通知されている時だけ、音声ガイダンスをスピーカ１０４から報知する。上記報知手段２０２は、スピーカ１０４が立ち上がっていることが通知されると、報知すべき音声ガイダンスを複写機１００の複写を制御する制御手段２０３に問い合わせる。
【００２１】
上記制御手段２０３は、印刷部数や、印刷用紙の用紙サイズを選択させるキーや、スタートキーを操作パネル３００に表示する。例えば、上記制御手段２０３は、操作パネル３００の初期画面に、図４に示すようにスタートキー３０１、印刷部数を選択するためのテンキー３０２、印刷用紙のサイズを選択させる選択キー３０３を表示する。
【００２２】
テンキー３０２が押下されると、上記制御手段２０３、押下されたテンキー３０２に対応する複写部数を記憶する。
【００２３】
選択キー３０３が押下されると、上記制御手段２０３は、図５に示すように、印刷に用いることができる印刷用紙の用紙サイズに対応するサイズキー４０１〜４０４を操作パネル３００に表示する。サイズキー４０１〜４０４の１つが押下されると、上記制御手段２０３は、押下されたサイズキー４０１〜４０４に対応するサイズを記憶して、操作パネル３００に初期画面を表示する。
【００２４】
スタートキー３０１が押下されると、上記制御手段２０３は、記憶した複写部数の複写を記憶したサイズの用紙に対して行う。テンキー３０２やサイズキー４０１〜４０４が押下されずにスタートキー３０１が押下されたときは、上記制御手段２０３は、デフォルトで設定された印刷部数や用紙サイズを記憶した印刷部数やサイズとして用いる。
【００２５】
上記制御手段２０３は、上記報知手段２０２から問合せがあると、現在表示している画面の種類を上記報知手段２０２に通知する。画面の種類が通知されると、上記報知手段２０２は、画面の種類に従った内容をスピーカ１０４から報知する。
【００２６】
例えば、報知すべき音声ガイダンスの問合せに対して、初期画面が通知された場合、上記報知手段２０２は、「スタートキー、テンキー、選択キーの何れかを選択して下さい」という音声ガイダンスを報知する。また、報知すべき音声ガイダンスの問合せに対して、サイズキー４０１〜４０４が表示された画面が通知された場合、上記報知手段２０２は、「サイズキーを１つ押下してください」という音声ガイダンスを報知する。
【００２７】
また、スタートキー３０１、テンキー３０２、選択キー３０３、サイズキー４０１〜４０４が押下された旨は、上記制御手段２０３が把握する。押下されたキーの名称をユーザに知らせるために、上記制御手段２０３は、押下されたキーの種類を上記報知手段２０２に通知する。上記報知手段２０２は、通知されたキーの種類に対応する音をスピーカ１０４から報知するようにしてもよい。
【００２８】
また、上記の実施形態において、スピーカ１０４が立ち上がっていることが検知されている時、制御手段２０３は操作パネル３００の表示態様を視覚障害者向けに切り換えても良い。例えば、図６および図７に示すようにスタートキー３０１、印刷部数を選択するためのテンキー３０２、印刷用紙のサイズを選択させる選択キー３０３、サイズキー４０１〜４０４の文字を拡大し、各キーのコントラストが大きくなるようして強調表示する。このことにより、視覚障害者が複写機を使用する場合であっても、操作パネル３００に表示されているキーの視認性が向上し、音声ガイダンスを組み合わせることにより、スムーズな操作が可能になる。
【００２９】
また、操作パネル３００に表示される各キーに対応するハードキーを別途設けても良い。この場合、スピーカ１０４が立ち上がっていることが検知されている時、制御手段２０３は操作パネル３００の表示を消去して、ハードキーによる操作のみ受け付けてれば良い。このことにより、視覚障害者が複写機を使用するときに、指で触れて認識できるハードキーによる操作に専念すればよいので、音声ガイダンスを組み合わせることにより、スムーズな操作が可能になる。
【００３０】
また、上記実施形態では複写機を例にとって説明したが、ファクシミリ装置やスキャナなどの他の画像形成装置、金融機関などの自動取引装置、コンビニエンスストアなどの情報端末装置、駅などの発券機など、多人数で共有して使用する電気機器に対して、本発明を適用することが可能である。
【００３１】
例えば、図８および図９に示すように、自動取引装置５００においても、操作パネル３００およびスピーカ１０４が設けられている。また、その他にキャッシュカードの挿入口５０１および紙幣および貨幣の取り出し口５０２が設けられている。スピーカ１０４の構成およびスピーカの移動による自動取引装置の動作については、上記実施携帯の場合と同様であり、スピーカ１０４が立ち上がっているときに音声ガイダンスを報知したり、操作パネル３００を強調表示したりする。
【００３２】
なお、上記実施形態では、スピーカが可倒式のものとして説明したが、突出部分が変化するものであればこれに限定されない。例えば、スピーカを引き上げたり、押し込んだりするものでも良い。
【図面の簡単な説明】
【００３３】
【図１】本発明の電気機器としての複写機の外観図である。
【図２】本発明の電気機器としての複写機の外観図である。
【図３】本発明の画像処理装置のブロック図である。
【図４】表示パネルの一例である。
【図５】表示パネルの一例である。
【図６】表示パネルの一例である。
【図７】表示パネルの一例である。
【図８】本発明の電気機器としての自動取引装置の外観図である。
【図９】本発明の電気機器としての自動取引装置の外観図である。
【符号の説明】
【００３４】
１００  複写機
１０４  スピーカ
２０１  検知手段
２０２  報知手段
２０３  制御手段
【図１】
2005229588.tif 000003
【図２】
2005229588.tif 000004
【図３】
2005229588.tif 000005
【図４】
2005229588.tif 000006
【図５】
2005229588.tif 000007
【図６】
2005229588.tif 000008
【図７】
2005229588.tif 000009
【図８】
2005229588.tif 000010
【図９】
2005229588.tif 000011